(57)【要約】【課題】  色や材質の異なる様々な素材を用いて複数種のレンジフード本体を準備しなくても、庇部も含めて周囲との意匠の統一感を達成することのできるレンジフード。【解決手段】  加熱調理部の上方に取り付けられる本発明のレンジフード（１）は、下端部から前方へほぼ水平に延びる庇部（２ａ）を有するレンジフード本体（２）と、庇部に着脱自在に構成されて庇部の前端面（２ａａ）を覆うためのカバー部材（３）とを備えている。庇部の前端面には、レンジフードを制御するためのボタンスイッチ（５ａ〜５ｄ）が設けられ、カバー部材においてボタンスイッチに対応する位置には、ボタンスイッチを操作するための操作部（６ａ〜６ｄ）が設けられている。【選択図】  図３
2008215629.tif 000002
【特許請求の範囲】
【請求項１】
加熱調理部の上方に取り付けられるレンジフードにおいて、
下端部から前方へほぼ水平に延びる庇部を有するレンジフード本体と、
前記庇部に着脱自在に構成されて前記庇部の前端面を覆うためのカバー部材とを備えていることを特徴とするレンジフード。
【請求項２】
前記庇部の前記前端面には、前記レンジフードを制御するためのボタンスイッチが設けられ、
前記カバー部材において前記ボタンスイッチに対応する位置には、前記ボタンスイッチを操作するための操作部が設けられていることを特徴とする請求項１に記載のレンジフード。
【請求項３】
前記庇部の前記前端面には、前記レンジフードを制御するためのタッチスイッチ用基盤が設けられ、
前記カバー部材において前記タッチスイッチ用基盤に対応する位置には、前記タッチスイッチ用基盤に接続可能なタッチスクリーンが設けられていることを特徴とする請求項１に記載のレンジフード。
【請求項４】
前記庇部の前記前端面には、前記レンジフードを制御するためのボタンスイッチが設けられ、
前記カバー部材において前記ボタンスイッチに対応する位置には、前記ボタンスイッチが貫通するように形成された開口部が設けられていることを特徴とする請求項１に記載のレンジフード。
【発明の詳細な説明】
【技術分野】
【０００１】
本発明は、レンジフードに関し、特にシステムキッチンの加熱調理部の上方に取り付けられるレンジフードに関するものである。
【背景技術】
【０００２】
たとえばシステムキッチンでは、加熱調理部から発生する煙や蒸気などを捕集して外部へ導き出すためのレンジフードが設けられている。レンジフードの典型的な形態として、レンジフード本体の下端部から前方へ庇部がほぼ水平に延びる形態が良く知られている。
【０００３】
従来のシステムキッチンでは、レンジフードに隣接して設けられるウォールキャビネット（吊り戸棚）の扉、あるいはキッチン本体のベースキャビネットの幕板や引出し収納部の前板などとの色や材質に関する意匠の統一感を高めるために、色や材質の異なる複数種の幕板がレンジフード本体に着脱自在な構造を採用している。
【発明の開示】
【発明が解決しようとする課題】
【０００４】
一般に、庇部を含むレンジフード本体は、適当な素材により一体的に形成される。また、庇部の前端面には、レンジフードを制御するためのスイッチなどが設けられる。このため、従来技術では、レンジフード本体を形成する素材が庇部の前端面にそのままの色で露出することになる。
【０００５】
庇部の前端面の色や材質が、ウォールキャビネットの扉あるいはベースキャビネットの幕板や前板などと異なると、周囲との意匠の統一感は損なわれる。従来技術において庇部も含めて周囲との意匠の統一感を達成するには、色や材質の異なる様々な素材を用いて複数種のレンジフード本体を準備する必要があり、製造コストが非常に高くなる。
【０００６】
本発明は、前述の課題に鑑みてなされたものであり、色や材質の異なる様々な素材を用いて複数種のレンジフード本体を準備しなくても、庇部も含めて周囲との意匠の統一感を達成することのできるレンジフードを提供することを目的とする。
【課題を解決するための手段】
【０００７】
前記課題を解決するために、本発明では、加熱調理部の上方に取り付けられるレンジフードにおいて、
下端部から前方へほぼ水平に延びる庇部を有するレンジフード本体と、
前記庇部に着脱自在に構成されて前記庇部の前端面を覆うためのカバー部材とを備えていることを特徴とするレンジフードを提供する。
【０００８】
本発明の好ましい態様によれば、前記庇部の前記前端面には、前記レンジフードを制御するためのボタンスイッチが設けられ、前記カバー部材において前記ボタンスイッチに対応する位置には、前記ボタンスイッチを操作するための操作部が設けられている。
【０００９】
あるいは、前記庇部の前記前端面には、前記レンジフードを制御するためのタッチスイッチ用基盤が設けられ、前記カバー部材において前記タッチスイッチ用基盤に対応する位置には、前記タッチスイッチ用基盤に接続可能なタッチスクリーンが設けられていることが好ましい。
【００１０】
あるいは、前記庇部の前記前端面には、前記レンジフードを制御するためのボタンスイッチが設けられ、前記カバー部材において前記ボタンスイッチに対応する位置には、前記ボタンスイッチが貫通するように形成された開口部が設けられていることが好ましい。
【発明の効果】
【００１１】
本発明のレンジフードは、レンジフード本体の下端部から前方へほぼ水平に延びる庇部に着脱自在に構成されて庇部の前端面を覆うためのカバー部材を備えている。したがって、色や材質の異なる様々な素材を用いて複数種のレンジフード本体を準備しなくても、色や材質が異なる複数種のカバー部材を準備するだけで、庇部も含めて周囲との意匠の統一感を達成することができる。この場合、色や材質の異なる複数種の幕板を準備し、色や材質が周囲と同じ幕板をレンジフード本体に着脱自在に取り付けることはいうまでもない。
【００１２】
なお、本発明では、庇部の前端面にレンジフードを制御するためのボタンスイッチを設け、カバー部材においてボタンスイッチに対応する位置にボタンスイッチを操作するための操作部を設けることが好ましい。この構成では、庇部の前端面に設けられたボタンスイッチとカバー部材に設けられた操作部との組合せ構造により、例えばシートタイプの押ボタンスイッチ機構を実現することができる。
【００１３】
あるいは、本発明では、庇部の前端面にレンジフードを制御するためのタッチスイッチ用基盤を設け、カバー部材においてタッチスイッチ用基盤に対応する位置にタッチスイッチ用基盤に接続可能なタッチスクリーンを設けることが好ましい。この構成では、庇部の前端面に設けられたタッチスイッチ用基盤とカバー部材に設けられたタッチスクリーンとの組合せ構造により、例えばタッチ式のスイッチ機構を実現することができる。
【００１４】
あるいは、本発明では、庇部の前端面にレンジフードを制御するためのボタンスイッチを設け、カバー部材においてボタンスイッチに対応する位置にボタンスイッチが貫通するように形成された開口部を設けることが好ましい。この構成では、庇部の前端面に設けられたボタンスイッチとカバー部材に設けられた開口部との組合せ構造により、例えば独立タイプの押ボタンスイッチ機構を実現することができる。
【発明を実施するための最良の形態】
【００１５】
本発明の実施形態を、添付図面に基づいて説明する。図１は、本発明の実施形態にかかるキッチンの構成を概略的に示す斜視図である。図２は、本実施形態にかかるレンジフードの外観を概略的に示す斜視図である。図３は、図２に対応する図であって、レンジフード本体の庇部の前端からカバー部材を取り外した状態を示す斜視図である。
【００１６】
図１を参照すると、キッチンの本体は、床Ｆの上に載置されたベースキャビネットＢＣを備えている。ベースキャビネットＢＣの上部には、キッチンに向かって左側から加熱調理部（ＩＨコンロ、ガスコンロなど）２１と、一対のカウンタ２２ａおよび２２ｂとが設けられ、この一対のカウンタ２２ａと２２ｂとの間にシンク２３が設けられている。シンク２３に隣接して、たとえば湯水混合型の水栓（不図示）が設けられている。
【００１７】
加熱調理部２１の上方には、レンジフード１が壁面Ｗに取り付けられている。レンジフード１とほぼ高さに整列するように、ウォールキャビネット（吊り戸棚）ＷＣが壁面Ｗに取り付けられている。レンジフード１は、ファン（不図示）を内蔵する通常の構成を有し、加熱調理部２１から（厳密には加熱調理部２１に載置された鍋などから）発生する煙や蒸気などを捕集して外部へ導く機能を有する。
【００１８】
図２および図３を参照すると、本実施形態のレンジフード１は、例えば適当な素材により一体的に形成されたレンジフード本体（庇部２ａを含む）２と、レンジフード本体２の下端部から前方へほぼ水平に延びる庇部２ａに着脱自在に構成されて庇部２ａの前端面２ａａを覆うためのカバー部材３と、レンジフード本体２に着脱自在に構成されてレンジフード本体２の前面（庇部２ａを除くレンジフード本体２の前側領域）を覆うための幕板４とにより構成されている。
【００１９】
レンジフード本体２の庇部２ａの前端面２ａａには、レンジフード１の運転などを制御するための複数のボタンスイッチ５ａ〜５ｄが設けられている。具体的に、ボタンスイッチ５ａは例えばレンジフード１のファンの運転開始および運転停止を制御する押スイッチである。ボタンスイッチ５ｂ、５ｃは例えばファンの運転の強弱を制御する押スイッチである。ボタンスイッチ５ｄは例えばレンジフード１から加熱調理部２１の領域を照らす照明を制御する押スイッチである。
【００２０】
カバー部材３において複数のボタンスイッチ５ａ〜５ｄに対応する位置には、ボタンスイッチ５ａ〜５ｄを操作するための複数の操作部６ａ〜６ｄが設けられている。こうして、庇部２ａの前端面２ａａに設けられた複数のボタンスイッチ５ａ〜５ｅとカバー部材３に設けられた複数の操作部６ａ〜６ｄとの組合せ構造により、シートタイプの押ボタンスイッチ機構が実現されている。
【００２１】
シートタイプの押ボタンスイッチ機構では、操作部６ａを押すことによりスイッチ５ａが押され、レンジフード１のファンが運転を開始したり運転を停止したりすることができる。操作部６ｂ，６ｃを押すことによりスイッチ５ｂ，５ｃが押され、レンジフード１のファンの運転の強弱を選択することができる。操作部６ｄを押すことによりスイッチ５ｄが押され、レンジフード１から加熱調理部２１の領域への照明を点灯したり消灯したりすることができる。
【００２２】
本実施形態では、レンジフード本体２の前面に着脱自在に取り付けられた幕板４およびレンジフード本体２の庇部２ａの前端面２ａａに着脱自在に取り付けられたカバー部材３の前面が、レンジフード１に隣接して設けられるウォールキャビネットＷＣの扉３１〜３４、ベースキャビネットＢＣの幕板４１，４２や引出し収納部の前板４３，４４と同じ色に形成されているか、または同じ材質で形成されている。
【００２３】
以上のように、本実施形態のレンジフード１は、レンジフード本体２の下端部から前方へほぼ水平に延びる庇部２ａに着脱自在に構成されて庇部２ａの前端面２ａａを覆うためのカバー部材３を備えている。したがって、色や材質の異なる様々な素材を用いて複数種のレンジフード本体２を準備しなくても、色や材質が異なる複数種のカバー部材３を準備するだけで、庇部２ａも含めて周囲との意匠の統一感を達成することができる。
【００２４】
なお、庇部２ａの上側面（図２、図３を参照）２ａｂでは、レンジフード本体２を形成する素材がそのままの色で露出することになる。しかしながら、庇部２ａの床Ｆからの高さは約１．７ｍであり、庇部２ａの上側面２ａｂはキッチンの正面に立つ人の視界には入らない。キッチンの正面に立つ人には、幕板４の前面とカバー部材３の前面とがほぼ連続しているように見えることになる。
【００２５】
図４は、本実施形態の第１変形例にかかるレンジフードの外観を概略的に示す斜視図である。図５は、図４に対応する図であって、レンジフード本体の庇部の前端からカバー部材を取り外した状態を示す斜視図である。図４および図５に示す第１変形例は、図２および図３に示す実施形態と類似の構成を有するが、スイッチ機構だけが図２および図３に示す実施形態と相違している。
【００２６】
第１変形例では、レンジフード本体２の庇部２ａの前端面２ａａに、レンジフード１の運転などを制御するためのタッチスイッチ用基盤７が設けられている。カバー部材３においてタッチスイッチ用基盤７に対応する位置には、配線８を介してタッチスイッチ用基盤７に接続可能なタッチスクリーン９が設けられている。通常、タッチスクリーン９は、タッチパネルと呼ばれる透明な薄膜を搭載することで接触を感知する。
【００２７】
具体的に、タッチスクリーン９のタッチパネルに埋め込まれた素子が圧力や静電容量などから入力を感知し、位置情報に変換した電気信号を、配線８を介してタッチスイッチ用基盤７へ送る。最近では、赤外線などを利用して、実際には接触しなくても感知可能な方式も実用化されている。こうして、庇部２ａの前端面２ａａに設けられたタッチスイッチ用基盤７とカバー部材３に設けられたタッチスクリーン９との組合せ構造により、圧力式や静電式のタッチスイッチ機構が実現されている。
【００２８】
タッチスイッチ機構では、例えばタッチスクリーン９の表面に印刷された複数の個別領域を選択的に押すことにより、レンジフード１のファンの運転開始および運転停止、レンジフード１のファンの運転の強弱の決定、レンジフード１から加熱調理部２１の領域への照明の点灯および消灯など、所望の操作を実行することができる。
【００２９】
図６は、本実施形態の第２変形例にかかるレンジフードの外観を概略的に示す斜視図である。図７は、図６に対応する図であって、レンジフード本体の庇部の前端からカバー部材を取り外した状態を示す斜視図である。図６および図７に示す第２変形例は、図２および図３に示す実施形態と類似の構成を有するが、スイッチ機構だけが図２および図３に示す実施形態と相違している。
【００３０】
第２変形例では、上述の実施形態と同様に、レンジフード本体２の庇部２ａの前端面２ａａには、レンジフード１の運転などを制御するための複数のボタンスイッチ５ａ〜５ｄが設けられている。しかしながら、第２変形例では、上述の実施形態とは異なり、カバー部材３において複数のボタンスイッチ５ａ〜５ｄに対応する位置には、ボタンスイッチ５ａ〜５ｄが貫通するように形成された開口部１０ａ〜１０ｄが設けられている。
【００３１】
こうして、庇部２ａの前端面２ａａに設けられた複数のボタンスイッチ５ａ〜５ｅとカバー部材３に設けられた複数の開口部１０ａ〜１０ｄとの組合せ構造により、独立タイプの押ボタンスイッチ機構が実現されている。独立タイプの押ボタンスイッチ機構では、スイッチ５ａを直接押すことにより、レンジフード１のファンが運転を開始したり運転を停止したりすることができる。スイッチ５ｂ，５ｃを直接押すことにより、レンジフード１のファンの運転の強弱を選択することができる。スイッチ５ｄを直接押すことにより、レンジフード１から加熱調理部２１の領域への照明が点灯したり消灯したりすることができる。
【００３２】
なお、上述の実施形態では、レンジフード１に隣接してウォールキャビネットＷＣが設けられたキッチンに対して本発明を適用しているが、これに限定されることなく、例えば図８に示すようにウォールキャビネットの設置が省略されたキッチンに対しても同様に本発明を適用することができる。
【図面の簡単な説明】
【００３３】
【図１】本発明の実施形態にかかるキッチンの構成を概略的に示す斜視図である。
【図２】本実施形態にかかるレンジフードの外観を概略的に示す斜視図である。
【図３】図２に対応する図であって、レンジフード本体の庇部の前端からカバー部材を取り外した状態を示す斜視図である。
【図４】本実施形態の第１変形例にかかるレンジフードの外観を概略的に示す斜視図である。
【図５】図４に対応する図であって、レンジフード本体の庇部の前端からカバー部材を取り外した状態を示す斜視図である。
【図６】本実施形態の第２変形例にかかるレンジフードの外観を概略的に示す斜視図である。
【図７】図６に対応する図であって、レンジフード本体の庇部の前端からカバー部材を取り外した状態を示す斜視図である。
【図８】本実施形態の変形例にかかるキッチンの構成を概略的に示す斜視図である。
【符号の説明】
【００３４】
１  レンジフード
２  レンジフード本体
２ａ  レンジフード本体の庇部
３  カバー部材
４  幕板
５  ボタンスイッチ
６  操作部
７  タッチスイッチ用基盤
８  配線
９  タッチスクリーン
１０  開口部
【図１】
2008215629.tif 000003
【図２】
2008215629.tif 000004
【図３】
2008215629.tif 000005
【図４】
2008215629.tif 000006
【図５】
2008215629.tif 000007
【図６】
2008215629.tif 000008
【図７】
2008215629.tif 000009
【図８】
2008215629.tif 000010